(57)【特許請求の範囲】
【請求項１】
無線ＬＡＮシステムにおいて動作するステーション（ＳＴＡ）によって信号を送信する方法であって、前記方法は、
第１のＳＴＡからのＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式又は多重ユーザＭＩＭＯ（ＭＵ−ＭＩＭＯ）方式での複数のＳＴＡへのデータの送信のためのリソース割り当て情報を設けて前記複数のＳＴＡに送信することと、
前記リソース割り当て情報によって前記複数のＳＴＡにデータを送信することと
を含み、
前記リソース割り当て情報は、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含み、
前記リソース割り当てビットマップは、前記リソース割り当てビットマップにおいて後続ビットが先行ビットと比較してトグリングされたか否かによって、全周波数帯域においてリソース割り当ての単位となるサブバンド構成を示す、方法。
【請求項２】
前記リソース割り当て順序情報は、前記リソースが割り当てられるグループ内のＳＴＡの順序組み合わせをあらかじめ規定し、前記ＳＴＡの順序組み合わせを示すパーミュテーションインデックスの形態を有する、請求項１に記載の方法。
【請求項３】
前記リソース割り当て順序情報は、前記リソースが割り当てられるグループ内のＳＴＡの順序をあらかじめ定められた順序でシフトする程度を示すシフティングインデックスの形態を有する、請求項１に記載の方法。
【請求項４】
前記リソース割り当てビットマップにおいて第１後続ビットが第１先行ビットと比較してトグリングされていない場合、前記第１先行ビットに対応するサブバンドと前記第１後続ビットに対応するサブバンドは同じＳＴＡに割り当てられ、
前記リソース割り当てビットマップにおいて第２後続ビットが第２先行ビットと比較してトグリングされた場合、前記第２先行ビットに対応するサブバンドと前記第２後続ビットに対応するサブバンドは互いに異なるＳＴＡに割り当てられる、請求項１に記載の方法。
【請求項５】
前記リソース割り当て情報は、前記リソース割り当てビットマップに従って構成されるサブバンドが前記複数のＳＴＡのそれぞれに割り当てられるか否かを示すＳＴＡ別情報をさらに含む、請求項１に記載の方法。
【請求項６】
前記リソース割り当てビットマップは、前記複数のＳＴＡの数に対応する長さを有し、前記複数のＳＴＡのそれぞれにリソースが割り当てられることを示す、請求項１に記載の方法。
【請求項７】
前記リソース割り当て順序情報は、前記複数のＳＴＡのうち、前記リソース割り当てビットマップによってリソースが割り当てられるＳＴＡの順序を指定する情報形態を有する、請求項１に記載の方法。
【請求項８】
前記リソース割り当て順序情報は、前記グループＩＤによって示される前記複数のＳＴＡの数に対応する数のＳＴＡの順序を指定する情報形態を有する、請求項１に記載の方法。
【請求項９】
前記グループＩＤの値は、第１グループＩＤ区間又は第２グループＩＤ区間のうちの１つを示し、
前記グループＩＤの値が前記第１グループＩＤ区間を示すか前記第２グループＩＤ区間を示すかによって、前記複数のＳＴＡへのデータの送信のための互いに異なる方式が示される、請求項１に記載の方法。
【請求項１０】
前記グループＩＤの値が第１グループＩＤ区間内である場合、前記複数のＳＴＡに前記ＯＦＤＭＡ方式で前記データを送信することと、
前記グループＩＤの値が第２グループＩＤ区間内である場合、前記複数のＳＴＡに前記ＭＵ−ＭＩＭＯ方式で前記データを送信することと
をさらに含む、請求項１に記載の方法。
【請求項１１】
前記リソース割り当て情報がＨＥ−ＳＩＧフィールドで送信される、請求項１に記載の方法。
【請求項１２】
無線通信システムにおいて信号を送信するステーション（ＳＴＡ）であって、
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式又は多重ユーザＭＩＭＯ（ＭＵ−ＭＩＭＯ）方式での複数のＳＴＡへのデータの送信のためのリソース割り当て情報を設けるように構成されるプロセッサと、
前記プロセッサに接続された送受信器であって、前記送受信器は、前記リソース割り当て情報及び前記データを前記複数のＳＴＡに送信するように構成される、送受信器と
を備え、
前記プロセッサは、前記リソース割り当て情報が、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含むようにし、
前記リソース割り当てビットマップは、前記リソース割り当てビットマップにおいて後続ビットが先行ビットと比較してトグリングされたか否かによって、全周波数帯域においてリソース割り当ての単位となるサブバンド構成を示す、ＳＴＡ。
【請求項１３】
前記プロセッサは、前記リソース割り当て順序情報が、前記リソースが割り当てられるグループ内のＳＴＡの順序組み合わせをあらかじめ規定し、前記ＳＴＡの順序組み合わせを示すパーミュテーションインデックスの形態を有するようにする、請求項１２に記載のＳＴＡ。
【請求項１４】
前記プロセッサは、前記リソース割り当て順序情報が、前記リソースが割り当てられるグループ内のＳＴＡの順序をあらかじめ定められた順序でシフトする程度を示すシフティングインデックスの形態を有するようにする、請求項１２に記載のＳＴＡ。
【発明の詳細な説明】
【技術分野】
【０００１】
本文書は、無線通信システムに関し、特に、無線ＬＡＮシステムにおいてグループＩＤに基づいてリソースを割り当てるが、グループ内のリソース割り当て順序を柔軟に支援することができる方法及び装置に関する。
【背景技術】
【０００２】
以下に提案する信号送信方法を様々な無線通信に適用することができるが、以下では、本発明を適用可能なシステムの一例として無線ＬＡＮ（ｗｉｒｅｌｅｓｓ  ｌｏｃａｌ  ａｒｅａ  ｎｅｔｗｏｒｋ；ＷＬＡＮ）システムについて説明する。
【０００３】
無線ＬＡＮ技術に対する標準はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準として開発されている。ＩＥＥＥ  ８０２．１１ａ及びｂは２．４．ＧＨｚ又は５ＧＨｚで非免許帯域（ｕｎｌｉｃｅｎｓｅｄ  ｂａｎｄ）を利用し、ＩＥＥＥ  ８０２．１１ｂは１１Ｍｂｐｓの伝送速度を提供し、ＩＥＥＥ  ８０２．１１ａは５４Ｍｂｐｓの伝送速度を提供する。ＩＥＥＥ  ８０２．１１ｇは２．４ＧＨｚで直交周波数分割多重化（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ；ＯＦＤＭ）を適用し、５４Ｍｂｐｓの伝送速度を提供する。ＩＥＥＥ  ８０２．１１ｎは多重入出力ＯＦＤＭ（ｍｕｌｔｉｐｌｅ  ｉｎｐｕｔ  ｍｕｌｔｉｐｌｅ  ｏｕｔｐｕｔ−ＯＦＤＭ；ＭＩＭＯ−ＯＦＤＭ）を適用し、４個の空間的なストリーム（ｓｐａｔｉａｌ  ｓｔｒｅａｍ）に対して３００Ｍｂｐｓの伝送速度を提供する。ＩＥＥＥ  ８０２．１１ｎではチャネル帯域幅（ｃｈａｎｎｅｌ  ｂａｎｄｗｉｄｔｈ）を４０ＭＨｚまで支援し、この場合には６００Ｍｂｐｓの伝送速度を提供する。
【０００４】
上述した無線ＬＡＮ標準は、最大１６０ＭＨｚ帯域幅を利用し、８個の空間ストリームを支援して最大１Ｇｂｉｔ／ｓの速度を支援するＩＥＥＥ  ８０２．１１ａｃ標準を経て、ＩＥＥＥ  ８０２．１１ａｘ標準化に関する議論が進めらている。
【発明の概要】
【発明が解決しようとする課題】
【０００５】
本発明は、無線通信システムにおいてステーションが効率的に信号を送信する方法及びその装置を提供することに目的がある。
【０００６】
具体的には、無線通信システムのうち、次世代無線ＬＡＮシステムであるＩＥＥＥ  ８０２．１１ａｘ標準においてＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）が適用される場合のリソース割り当て方式を効率的に規定する。
【０００７】
ただし、本発明の目的は上述したような目的の他に、以下の本発明に関する詳細な説明から理解される様々な効果を得ることも含む。
【課題を解決するための手段】
【０００８】
本発明の一側面では、無線ＬＡＮシステムにおいて動作するステーション（ＳＴＡ）が信号を送信する方法であって、第１のＳＴＡがＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）方式で複数のＳＴＡにデータを送信するリソース割り当て情報を設けて前記複数のＳＴＡに送信し、前記リソース割り当て情報によって前記複数のＳＴＡにデータを送信し、前記リソース割り当て情報は、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含む、ステーションの信号送信方法を提案する。
【０００９】
本発明の他の側面では、無線通信システムにおいて信号を送信するステーション（ＳＴＡ）であって、ＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）方式で複数のＳＴＡにデータを送信するリソース割り当て情報を設けるように構成されるプロセッサと、前記プロセッサに接続して、前記リソース割り当て情報及びデータを前記複数のＳＴＡに送信するように構成される送受信器とを備え、前記プロセッサは、前記リソース割り当て情報が、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含むようにする、ステーションを提案する。
【００１０】
前記リソース割り当て順序情報は、リソースが割り当てられるグループ内のＳＴＡの順序組み合わせをあらかじめ規定し、前記ＳＴＡ順序組み合わせを示すパーミュテーションインデックス（ｐｅｒｍｕｔａｔｉｏｎ  ｉｎｄｅｘ）形態を有することができる。
【００１１】
また、前記リソース割り当て順序情報は、リソースが割り当てられるグループ内のＳＴＡの順序をあらかじめ定められた順序でシフトする程度を示すシフティングインデックス（ｓｈｉｆｔｉｎｇ  ｉｎｄｅｘ）形態を有することができる。
【００１２】
前記リソース割り当てビットマップは、前記リソース割り当てビットマップにおいて後続ビットが先行ビットと比較してトグリング（ｔｏｇｇｌｉｎｇ）されたか否かによって、全周波数帯域においてリソース割り当ての単位となるサブバンド構成を知らせることができ、具体的に、前記リソース割り当てビットマップにおいて第１後続ビットが第１先行ビットと比較してトグリングされていない場合、前記第１先行ビットに対応するサブバンドと前記第１後続ビットに対応するサブバンドは、同じＳＴＡに割り当てられるサブバンドであり、前記リソース割り当てビットマップにおいて第２後続ビットが第２先行ビットと比較してトグリングされた場合、前記第２先行ビットに対応するサブバンドと前記第２後続ビットに対応するサブバンドは、互いに異なるＳＴＡに割り当てられるサブバンドであってもよい。この場合、前記リソース割り当て情報は、前記リソース割り当てビットマップによって構成されるサブバンドが前記複数のＳＴＡのそれぞれに割り当てられるか否かを示すＳＴＡ別リソース割り当て情報をさらに含むことができる。
【００１３】
一方、前記リソース割り当てビットマップは、前記複数のＳＴＡの数に対応する長さを有するビットマップであり、前記複数のＳＴＡのそれぞれにリソースが割り当てられるか否かを知らせてもよい。
【００１４】
前記リソース割り当て順序情報は、前記複数のＳＴＡのうち、前記リソース割り当てビットマップによってリソースが割り当てられるＳＴＡの数に対応する数のＳＴＡの順序を指定する情報形態を有してもよく、前記リソース割り当て順序情報は、前記グループＩＤによって示される前記複数のＳＴＡの数に対応する数のＳＴＡの順序を指定する情報形態を有してもよい。
【００１５】
前記グループＩＤの値は、第１グループＩＤ区間又は第２グループＩＤ区間のいずれか一区間の値を有することができ、前記グループＩＤの値が前記第１グループＩＤ区間又は前記第２グループＩＤ区間のいずれの区間の値を有するかによって、前記複数のＳＴＡにデータを送信する互いに異なる方式を示すことができる。
【００１６】
具体的に、前記グループＩＤの値が前記第１グループＩＤ区間の値を有する場合、前記複数のＳＴＡにＯＦＤＭＡ方式でデータを送信し、前記グループＩＤの値が前記第２グループＩＤ区間の値を有する場合、前記複数のＳＴＡにＭＵ−ＭＩＭＯ方式でデータを送信することができる。
【００１７】
前記リソース割り当て情報がＨＥ−ＳＩＧフィールドで送信されてもよい。
本明細書は、例えば、以下の項目も提供する。
（項目１）
無線ＬＡＮシステムにおいて動作するステーション（ＳＴＡ）が信号を送信する方法であって、
第１のＳＴＡがＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）方式で複数のＳＴＡにデータを送信するリソース割り当て情報を設けて上記複数のＳＴＡに送信し、
前記リソース割り当て情報によって前記複数のＳＴＡにデータを送信し、
前記リソース割り当て情報は、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含む、ステーションの信号送信方法。
（項目２）
前記リソース割り当て順序情報は、リソースが割り当てられるグループ内のＳＴＡの順序組み合わせをあらかじめ規定し、前記ＳＴＡ順序組み合わせを示すパーミュテーションインデックス（ｐｅｒｍｕｔａｔｉｏｎ  ｉｎｄｅｘ）形態を有する、項目１に記載のステーションの信号送信方法。
（項目３）
前記リソース割り当て順序情報は、リソースが割り当てられるグループ内のＳＴＡの順序をあらかじめ定められた順序でシフトする程度を示すシフティングインデックス（ｓｈｉｆｔｉｎｇ  ｉｎｄｅｘ）形態を有する、項目１に記載のステーションの信号送信方法。
（項目４）
前記リソース割り当てビットマップは、前記リソース割り当てビットマップにおいて後続ビットが先行ビットと比較してトグリング（ｔｏｇｇｌｉｎｇ）されたか否かによって、全周波数帯域においてリソース割り当ての単位となるサブバンド構成を知らせる、項目１に記載のステーションの信号送信方法。
（項目５）
前記リソース割り当てビットマップにおいて第１後続ビットが第１先行ビットと比較してトグリングされていない場合、前記第１先行ビットに対応するサブバンドと前記第１後続ビットに対応するサブバンドは同じＳＴＡに割り当てられるサブバンドであり、
前記リソース割り当てビットマップにおいて第２後続ビットが第２先行ビットと比較してトグリングされた場合、前記第２先行ビットに対応するサブバンドと前記第２後続ビットに対応するサブバンドは互いに異なるＳＴＡに割り当てられるサブバンドである、項目４に記載のステーションの信号送信方法。
（項目６）
前記リソース割り当て情報は、前記リソース割り当てビットマップに従って構成されるサブバンドが前記複数のＳＴＡのそれぞれに割り当てられるか否かを示すＳＴＡ別リソース割り当て情報をさらに含む、項目４に記載のステーションの信号送信方法。
（項目７）
前記リソース割り当てビットマップは、前記複数のＳＴＡの数に対応する長さを有するビットマップであり、前記複数のＳＴＡのそれぞれにリソースが割り当てられるか否かを知らせる、項目１に記載のステーションの信号送信方法。
（項目８）
前記リソース割り当て順序情報は、前記複数のＳＴＡのうち、前記リソース割り当てビットマップによってリソースが割り当てられるＳＴＡの数に対応する数のＳＴＡの順序を指定する情報形態を有する、項目１に記載のステーション信号送信方法。
（項目９）
前記リソース割り当て順序情報は、前記グループＩＤによって示される前記複数のＳＴＡの数に対応する数のＳＴＡの順序を指定する情報形態を有する、項目１に記載のステーション信号送信方法。
（項目１０）
前記グループＩＤの値は、第１グループＩＤ区間又は第２グループＩＤ区間のいずれか一区間の値を有し、
前記グループＩＤの値が前記第１グループＩＤ区間又は前記第２グループＩＤ区間のいずれの区間の値を有するかによって、前記複数のＳＴＡにデータを送信する互いに異なる方式を示す、項目１に記載のステーション信号送信方法。
（項目１１）
前記グループＩＤの値が前記第１グループＩＤ区間の値を有する場合、前記複数のＳＴＡにＯＦＤＭＡ方式でデータを送信し、
前記グループＩＤの値が前記第２グループＩＤ区間の値を有する場合、前記複数のＳＴＡにＭＵ−ＭＩＭＯ方式でデータを送信する、項目１に記載のステーション信号送信方法。
（項目１２）
前記リソース割り当て情報がＨＥ−ＳＩＧフィールドで送信される、項目１に記載のステーション信号送信方法。
（項目１３）
無線通信システムにおいて信号を送信するステーション（ＳＴＡ）であって、
ＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）方式で複数のＳＴＡにデータを送信するリソース割り当て情報を設けるように構成されるプロセッサと、
前記プロセッサに接続して、前記リソース割り当て情報及びデータを前記複数のＳＴＡに送信するように構成される送受信器と、
を備え、
前記プロセッサは、前記リソース割り当て情報が、前記複数のＳＴＡを示すグループＩＤ、前記複数のＳＴＡに共通する形態を有するリソース割り当てビットマップ、及びリソースが割り当てられるグループ内のＳＴＡの順序を指定するリソース割り当て順序情報を含むようにする、ステーション。
（項目１４）
前記プロセッサは、前記リソース割り当て順序情報が、リソースが割り当てられるグループ内のＳＴＡの順序組み合わせをあらかじめ規定し、前記ＳＴＡ順序組み合わせを示すパーミュテーションインデックス（ｐｅｒｍｕｔａｔｉｏｎ  ｉｎｄｅｘ）形態を有するようにする、項目１３に記載のステーション。
（項目１５）
前記プロセッサは、前記リソース割り当て順序情報が、リソースが割り当てられるグループ内のＳＴＡの順序をあらかじめ定められた順序でシフトする程度を示すシフティングインデックス（ｓｈｉｆｔｉｎｇ  ｉｎｄｅｘ）形態を有するようにする、項目１３に記載のステーション。
【発明の効果】
【００１８】
本発明によれば、無線通信システムにおいてステーションが効率的に信号を送信することができ、具体的には、無線通信システムのうち、次世代無線ＬＡＮシステムであるＩＥＥＥ  ８０２．１１ａｘ標準においてＯＦＤＭＡ（Ｏｒｔｈｏｇｏｎａｌ  Ｆｒｅｑｕｅｎｃｙ  Ｄｉｖｉｓｉｏｎａｌ  Ｍｕｌｔｉｐｌｅ  Ａｃｃｅｓｓ）又は多重ユーザＭＩＭＯ（ＭＵ−ＭＩＭＯ）が適用される場合のリソース割り当て方式を効率的に行うことができる。
【００１９】
ただし、本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００２０】
【図１】無線ＬＡＮシステムの構成の一例を示す図である。
【図２】無線ＬＡＮシステムの構成の他の例を示す図である。
【図３】無線ＬＡＮシステムの例示的な構造を示す図である。
【図４】ＩＥＥＥ  ８０２．１１システムで用いられるフレーム構造の一例を説明するための図である。
【図５】ＩＥＥＥ  ８０２．１１システムで用いられるフレーム構造の一例を説明するための図である。
【図６】ＩＥＥＥ  ８０２．１１システムで用いられるフレーム構造の一例を説明するための図である。
【図７】ＩＥＥＥ  ８０２．１１システムで用いられるフレーム構造の一例を説明するための図である。
【図８】ＩＥＥＥ  ８０２．１１システムで用いられるフレーム構造の一例を説明するための図である。
【図９】本発明に利用可能なＰＰＤＵフォーマットの一例を示す図である。
【図１０】本発明に適用可能な多重ユーザ伝送の概念のうち、上りリンクの場合について説明するための図である。
【図１１】本発明の一実施の形態によってステーションがグループＩＤベースＯＦＤＭＡ方式でフレームを送信する場合について説明するための図である。
【図１２】最小リソース割り当て単位が帯域幅によらずに規定される形態の一例を示す図である。
【図１３】本発明の一実施の形態によってリソース割り当て情報を構成するとき、複数のＳＴＡに共通するリソース割り当て情報を構成する方法を説明するための図である。
【図１４】本発明の一実施の形態によってパーミュテーションインデックスが用いられる場合のリソース割り当て方式の例を説明するための図である。
【図１５】本発明の一実施の形態によってパーミュテーションインデックスが用いられる場合のリソース割り当て方式の例を説明するための図である。
【図１６】本発明の一実施の形態によってシフティングインデックスを活用する場合を説明するための図である。
【図１７】本発明の一実施の形態によってシフティングインデックスを活用する場合を説明するための図である。
【図１８】本発明の一実施の形態によって、グループＩＤによって様々な情報を示す方式を説明するための図である。
【図１９】本発明の一実施の形態によって、グループＩＤによって様々な情報を示す方式を説明するための図である。
【図２０】本発明の一実施の形態によって、グループＩＤによって様々な情報を示す方式を説明するための図である。
【図２１】本発明の一実施の形態によって、グループＩＤによって様々な情報を示す方式を説明するための図である。
【図２２】本発明の一実施例に係るＡＰ装置（又は、基地局装置）及びステーション装置（又は、端末装置）の例示的な構成を示すブロック図である。
【図２３】本発明の一実施例に係るＡＰ装置又はステーション装置のプロセッサの例示的な構造を示す図である。
【発明を実施するための形態】
【００２１】
以下、本発明に係る好ましい実施の形態を添付の図面を参照して詳しく説明する。添付の図面と共に以下に開示する詳細な説明は、本発明の例示的な実施の形態を説明しようとするものであり、本発明が実施され得る唯一の実施の形態を開示しようとするものではない。以下の詳細な説明は、本発明の完全な理解を提供するために具体的な細部事項を含む。しかし、当業者にとっては本発明をこのような具体的な細部事項なしにも実施できるということを理解する。
【００２２】
以下の実施例は、本発明の構成要素と特徴を所定の形態で結合したものである。各構成要素又は特徴は別の明示的言及がない限り選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明される動作の順序は変更してもよい。ある実施例の一部の構成や特徴を他の実施例に含めてもよく、又は他の実施例の対応する構成又は特徴に置き換えてもよい。
【００２３】
以下の説明で用いられる特定用語は本発明の理解を助けるために提供されたものであり、このような特定用語の使用を本発明の技術的思想から逸脱しない範囲で他の形態に変更してもよい。
【００２４】
いくつかの場合、本発明の概念が曖昧になることを避けるために公知の構造及び装置は省略されたり、各構造及び装置の核心機能を中心にしたブロック図の形式で図示される。また、本明細書全体を通じて同じ構成要素については同じ図面符号を付して説明する。
【００２５】
本発明の実施例は、無線アクセスシステムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書によって裏付けることができる。すなわち、本発明の実施例において本発明の技術的思想を明確にするために説明を省略した段階又は部分を、上記文書によって裏付けることができる。また、この文書で開示している全ての用語を上記標準文書によって説明することができる。
【００２６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線アクセスシステムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００２７】
また、本明細書で第１及び／又は第２などの用語を様々な構成要素を説明するために使うことができるが、これらの構成要素が上記用語によって限定されてはならない。上記用語は一つの構成要素を他の構成要素から区別する目的のためにのみ、例えば、本明細書の概念による権利範囲から離脱しない限りで、第１構成要素を第２構成要素に命名してもよく、同様に、第２構成要素を第１構成要素に命名してもよい。
【００２８】
また、明細書全体を通じて、ある部分がある構成要素を“含む”としたとき、これは、特別な記載がない限り、他の構成要素を除外することではなく、他の構成要素をさらに含むことを意味する。そして、明細書に記載された“…ユニット”、“…部”などの用語は、少なくとも一つの機能や動作を処理する単位を意味し、これをハードウェア及び／又はソフトウェアの結合によって具現することができる。
【００２９】
図１は無線ＬＡＮシステムの構成の一例を示した図である。
【００３０】
図１に示したように、無線ＬＡＮシステムは一つ以上の基本サービスセット（Ｂａｓｉｃ  Ｓｅｒｖｉｃｅ  Ｓｅｔ：ＢＳＳ）を含む。ＢＳＳは成功的に同期化して互いに通信することができるステーション（Ｓｔａｔｉｏｎ；ＳＴＡ）の集合である。
【００３１】
ＳＴＡは媒体接続制御（Ｍｅｄｉｕｍ  Ａｃｃｅｓｓ  Ｃｏｎｔｒｏｌ；ＭＡＣ）と無線媒体に対する物理階層（Ｐｈｙｓｉｃａｌ  Ｌａｙｅｒ）インターフェースを含む論理個体であって、アクセスポイント（ａｃｃｅｓｓ  ｐｏｉｎｔ；ＡＰ）と非ＡＰ  ＳＴＡ（Ｎｏｎ−ＡＰ  Ｓｔａｔｉｏｎ）を含む。ＳＴＡのうち、使用者が操作する携帯用端末はＮｏｎ−ＡＰ  ＳＴＡであって、単にＳＴＡと言うときはＮｏｎ−ＡＰ  ＳＴＡを示すこともある。Ｎｏｎ−ＡＰ  ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、使用者装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、携帯用端末（Ｍｏｂｉｌｅ  Ｔｅｒｍｉｎａｌ）、又は移動加入者ユニット（Ｍｏｂｉｌｅ  Ｓｕｂｓｃｒｉｂｅｒ  Ｕｎｉｔ）などの他の名称とも呼ばれることができる。
【００３２】
そして、ＡＰは自分に結合されたＳＴＡ（Ａｓｓｏｃｉａｔｅｄ  Ｓｔａｔｉｏｎ）に無線媒体を介して分配システム（Ｄｉｓｔｒｉｂｕｔｉｏｎ  Ｓｙｓｔｅｍ；ＤＳ）への接続を提供する個体である。ＡＰは、集中制御器、基地局（Ｂａｓｅ  Ｓｔａｔｉｏｎ、ＢＳ）、Ｎｏｄｅ−Ｂ、ＢＴＳ（Ｂａｓｅ  Ｔｒａｎｓｃｅｉｖｅｒ  Ｓｙｓｔｅｍ）、又はサイト制御器などと呼ばれることもできる。
【００３３】
ＢＳＳはインフラストラクチャー（ｉｎｆｒａｓｔｒｕｃｔｕｒｅ）ＢＳＳと独立的（Ｉｎｄｅｐｅｎｄｅｎｔ）ＢＳＳ（ＩＢＳＳ）に区分することができる。
【００３４】
図１に示したＢＢＳはＩＢＳＳである。ＩＢＳＳはＡＰを含んでいないＢＳＳを意味し、ＡＰを含んでいないので、ＤＳへの接続が許されなくて自己完結的ネットワーク（ｓｅｌｆ−ｃｏｎｔａｉｎｅｄ  ｎｅｔｗｏｒｋ）を成す。
【００３５】
図２は無線ＬＡＮシステムの構成の他の例を示した図である。
【００３６】
図２に示したＢＳＳはインフラストラクチャーＢＳＳである。インフラストラクチャーＢＳＳは一つ以上のＳＴＡ及びＡＰを含む。インフラストラクチャーＢＳＳにおいて、非ＡＰ  ＳＴＡの間の通信はＡＰを介してなされることが原則であるが、非ＡＰ  ＳＴＡの間に直接リンク（ｌｉｎｋ）が設定された場合には、非ＡＰ  ＳＴＡの間で直接通信も可能である。
【００３７】
図２に示したように、複数のインフラストラクチャーＢＳＳはＤＳを介して互いに連結されることができる。ＤＳを介して連結された複数のＢＳＳを拡張サービスセット（Ｅｘｔｅｎｄｅｄ  Ｓｅｒｖｉｃｅ  Ｓｅｔ、ＥＳＳ）と言う。ＥＳＳに含まれるＳＴＡは互いに通信することができ、同じＥＳＳ内で非ＡＰ  ＳＴＡは切れなしに通信しながら一つのＢＳＳから他のＢＳＳに移動することができる。
【００３８】
ＤＳは複数のＡＰを連結するメカニズム（ｍｅｃｈａｎｉｓｍ）であって、必ずしもネットワークである必要はなく、所定の分配サービスを提供することができる限り、その形態に対しては何らの制限がない。例えば、ＤＳはメッシュ（ｍｅｓｈ）ネットワークのような無線ネットワークであってもよく、ＡＰを互いに連結する物理的な構造物であってもよい。
【００３９】
図３は、無線ＬＡＮシステムの例示的な構造を示す図である。図３では、ＤＳを含む基盤構造ＢＳＳの一例を示す。
【００４０】
図３の例示で、ＢＳＳ１及びＢＳＳ２がＥＳＳを構成する。無線ＬＡＮシステムにおいてステーションはＩＥＥＥ  ８０２．１１のＭＡＣ／ＰＨＹ規定に従って動作する機器である。ステーションは、ＡＰステーション及び非−ＡＰ（ｎｏｎ−ＡＰ）ステーションを含む。Ｎｏｎ−ＡＰステーションは、ラップトップコンピュータ、移動電話機のように、一般的にユーザが直接扱う機器に該当する。図３の例示で、ステーション１、ステーション３、ステーション４はｎｏｎ−ＡＰステーションに該当し、ステーション２及びステーション５はＡＰステーションに該当する。
【００４１】
以下の説明でｎｏｎ−ＡＰステーションを、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶこともできる。また、ＡＰは、他の無線通信分野における基地局（Ｂａｓｅ  Ｓｔａｔｉｏｎ；ＢＳ）、ノード−Ｂ（Ｎｏｄｅ−Ｂ）、発展したノード−Ｂ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００４２】
図４乃至図８は、ＩＥＥＥ  ８０２．１１システムで用いられるフレーム構造の一例を説明するための図である。
【００４３】
ステーション（ＳＴＡ）はＰＰＤＵ（Ｐｈｙｓｉｃａｌ  Ｌａｙｅｒ  Ｃｏｎｖｅｒｇｅｎｃｅ  Ｐｒｏｔｏｃｏｌ（ＰＬＣＰ）  Ｐａｃｋｅｔ  Ｄａｔａ  Ｕｎｉｔ）を受信することができる。このとき、ＰＰＤＵフレームフォーマットはＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧＮＡＬ）フィールド、及びデータ（Ｄａｔａ）フィールドを含むことができる。このとき、一例として、ＰＰＤＵフレームフォーマットの種類に基づいてＰＰＤＵフレームフォーマットを設定することができる。
【００４４】
一例として、ｎｏｎ−ＨＴ（Ｈｉｇｈ  Ｔｈｒｏｕｇｈｐｕｔ）  ＰＰＤＵフレームフォーマットは、Ｌ−ＳＴＦ（Ｌｅｇａｃｙ−ＳＴＦ）、Ｌ−ＬＴＦ（Ｌｅｇａｃｙ−ＬＴＦ）、ＳＩＧフィールド及びデータフィールドだけで構成することができる。
【００４５】
また、ＰＰＤＵフレームフォーマットの種類は、ＨＴ−ｍｉｘｅｄフォーマットＰＰＤＵ及びＨＴ−ｇｒｅｅｎｆｉｅｌｄフォーマットＰＰＤＵのいずれか一つに設定することができる。このとき、上述したＰＰＤＵフォーマットではＳＩＧフィールドとデータフィールドとの間に追加の（又は、他の種類の）ＳＴＦ、ＬＴＦ、ＳＩＧフィールドがさらに含まれてもよい。
【００４６】
また、図５を参照すると、ＶＨＴ（Ｖｅｒｙ  Ｈｉｇｈ  Ｔｈｒｏｕｇｈｐｕｔ）ＰＰＤＵフォーマットを設定することができる。このとき、ＶＨＴ  ＰＰＤＵフォーマットでも、ＳＩＧフィールドとデータフィールドとの間に追加の（又は、他の種類の）ＳＴＦ、ＬＴＦ、ＳＩＧフィールドが含まれてもよい。より詳しくは、ＶＨＴ  ＰＰＤＵフォーマットではＬ−ＳＩＧフィールドとデータフィールドとの間にＶＨＴ−ＳＩＧ−Ａフィールド、ＶＨＴ−ＳＴＦフィールド、ＶＨＴ−ＬＴＦ及びＶＨＴ  ＳＩＧ−Ｂフィールドの少なくとも一つが含まれてもよい。
【００４７】
このとき、ＳＴＦは、信号検出、ＡＧＣ（Ａｕｔｏｍａｔｉｃ  Ｇａｉｎ  Ｃｏｎｔｒｏｌ）、ダイバーシチ選択、精密な時間同期などのための信号であってもよい。また、ＬＴＦは、チャネル推定、周波数誤差推定などのための信号であってもよい。このとき、ＳＴＦとＬＴＦを総称してＰＣＬＰプリアンブル（ｐｒｅａｍｂｌｅ）ということもできる。ＰＬＣＰプリアンブルはＯＦＤＭ物理層の同期化及びチャネル推定のための信号であるといえる。
【００４８】
また、図６を参照すると、ＳＩＧフィールドは、ＲＡＴＥフィールド及びＬＥＮＧＴＨフィールドなどを含むことができる。ＲＡＴＥフィールドはデータの変調及びコーディングレートに関する情報を含むことができる。ＬＥＮＧＴＨフィールドはデータの長さに関する情報を含むことができる。さらに、ＳＩＧフィールドは、パリティ（ｐａｒｉｔｙ）ビット、ＳＩＧ  ＴＡＩＬビットなどを含むことができる。
【００４９】
データフィールドはＳＥＲＶＩＣＥフィールド、ＰＳＤＵ（ＰＬＣＰ  Ｓｅｒｖｉｃｅ  Ｄａｔａ  Ｕｎｉｔ）、ＰＰＤＵ  ＴＡＩＬビットを含むことができ、必要によってパディングビットを含むこともできる。
【００５０】
このとき、図７を参照すると、ＳＥＲＶＩＣＥフィールドは、一部のビットを受信端でのデスクランブラの同期化のために用いることができ、一部のビットは留保された（Ｒｅｓｅｒｖｅｄ）ビットとして構成することができる。ＰＳＤＵはＭＡＣ層で定義されるＭＡＣ  ＰＤＵ（Ｐｒｏｔｏｃｏｌ  Ｄａｔａ  Ｕｎｉｔ）に対応し、上位層で生成／利用されるデータを含むことができる。ＰＰＤＵ  ＴＡＩＬビットは、エンコーダを０状態にリターンするために用いることができる。パディングビットは、データフィールドの長さを所定の単位に合わせるために用いることができる。
【００５１】
また、一例として、上述したように、ＶＨＴ  ＰＰＤＵフォーマットには追加の（又は、他の種類の）ＳＴＦ、ＬＴＦ、ＳＩＧフィールドが含まれてもよい。このとき、ＶＨＴ  ＰＰＤＵにおいてＬ−ＳＴＦ、Ｌ−ＬＴＦ、Ｌ−ＳＩＧはＶＨＴ  ＰＰＤＵのＮｏｎ−ＶＨＴに対する部分であってもよい。このとき、ＶＨＴ  ＰＰＤＵにおいてＶＨＴ−ＳＩＧ  Ａ、ＶＨＴ−ＳＴＦ、ＶＨＴ−ＬＴＦ及びＶＨＴ−ＳＩＧ  ＢはＶＨＴに対する部分であってもよい。すなわち、ＶＨＴ  ＰＰＤＵにはＮｏｎ−ＶＨＴに対するフィールド及びＶＨＴフィールドに対する領域がそれぞれ定義されていてもよい。このとき、一例として、ＶＨＴ−ＳＩＧ  ＡはＶＨＴ  ＰＰＤＵを解釈するための情報を含むことができる。
【００５２】
このとき、一例として、図８を参照すると、ＶＨＴ−ＳＩＧＡをＶＨＴ  ＳＩＧ−Ａ１（図８の（ａ））及びＶＨＴ  ＳＩＧ−Ａ２（図８の（ｂ））で構成することができる。このとき、ＶＨＴ  ＳＩＧ−Ａ１及びＶＨＴ  ＳＩＧ−Ａ２をそれぞれ２４データビットで構成することができ、ＶＨＴ  ＳＩＧ−Ａ１をＶＨＴ  ＳＩＧ−Ａ２より先に送信することができる。このとき、ＶＨＴ  ＳＩＧ−Ａ１はＢＷ、ＳＴＢＣ、Ｇｒｏｕｐ  ＩＤ、ＮＳＴＳ／Ｐａｒｔｉａｌ  ＡＩＤ、ＴＸＯＰ＿ＰＳ＿ＮＯＴ＿ＡＬＬＯＷＥＤフィールド及びＲｅｓｅｒｖｅｄフィールドなどを含むことができる。また、ＶＨＴ  ＳＩＧ−Ａ２はＳｈｏｒｔ  ＧＩ、Ｓｈｏｒｔ  ＧＩ  ＮＳＹＭ  Ｄｉｓａｍｂｉｇｕａｔｉｏｎ、ＳＵ／ＭＵ［０］  Ｃｏｄｉｎｇ、ＬＤＰＣ  Ｅｘｔｒａ  ＯＦＤＭ  Ｓｙｍｂｏｌ、ＳＵ  ＶＨＴ−ＭＣＳ／ＭＵ［１−３］  Ｃｏｄｉｎｇ、Ｂｅａｍｆｏｒｍｅｄ、ＣＲＣ、Ｔａｉｌ及びＲｅｓｅｒｖｅｄフィールドなどを含むことができる。これによって、ＶＨＴ  ＰＰＤＵに関する情報を確認可能にすることができる。
【００５３】
図９は、本発明に利用可能なＰＰＤＵフォーマットの一例を示す図である。
【００５４】
上述したように、ＰＰＤＵフォーマットの種類を様々に設定することができる。このとき、一例として、新しい形態のＰＰＤＵフォーマットを提示することができる。このとき、ＰＰＤＵは、Ｌ−ＳＴＦ、Ｌ−ＬＴＦ、Ｌ−ＳＩＧ及びＤＡＴＡフィールドを含むことができる。このとき、一例として、ＰＰＤＵフレームは、ＨＥ（Ｈｉｇｈ  Ｅｆｆｉｃｉｅｎｃｙ）ＳＩＧ−Ａフィールド、ＨＥ−ＳＴＦフィールド、ＨＥ−ＬＴＦフィールド、ＨＥ−ＳＩＧ  Ｂフィールドをさらに含むことができる。このとき、一例として、ＨＥ  ＳＩＧ−Ａフィールドは共通情報を含むことができる。一例として、共通情報は、Ｂａｎｄｗｉｄｔｈ、ＧＩ（Ｇｕａｒｄ  Ｉｎｔｅｒｖａｌ）、ｌｅｎｇｔｈ、ＢＳＳ  ｃｏｌｏｒ  ｆｉｅｌｄなどを含むことができる。このとき、一例として、Ｌパート（Ｌ−ＳＴＦ、Ｌ−ＬＴＦ、Ｌ−ＳＩＧ）は周波数領域において２０Ｍｈｚ単位でＳＦＮの形態で送信されてもよい。また、一例として、ＨＥ  ＳＩＧ  ＡもＬパートと同様に、２０Ｍｈｚ単位でＳＦＮの形態で送信されてもよい。一例として、チャネルが２０Ｍｈｚより大きい場合、Ｌパート及びＨＥ  ＳＩＧ  Ａは２０Ｍｈｚ単位で重複（ｄｕｐｌｉｃａｔｉｏｎ）して送信されてもよい。また、ＨＥ  ＳＩＧ−Ｂは、ユーザ特定の（Ｕｓｅｒ  Ｓｐｅｃｉｆｉｃ）情報であってもよい。このとき、一例として、ユーザ特定の情報は、ステーションＡＩＤ、ｒｅｓｏｕｒｃｅ  ａｌｌｏｃａｔｉｏｎ  ｉｎｆｏｒｍａｔｉｏｎ（例えば、ａｌｌｏｃａｔｉｏｎ  ｓｉｚｅ）、ＭＣＳ、Ｎｓｔｓ、Ｃｏｄｉｎｇ、ＳＴＢＣ、ＴＸＢＦなどを含むことができる。また、一例として、ＨＥ  ＳＩＧ−Ｂは全帯域幅にわたって送信されてもよい。
【００５５】
一例として、図９の（ｂ）を参照すると、ＰＰＤＵは８０Ｍｈｚ帯域で送信されてもよい。このとき、Ｌパート及びＨＥ  ＳＩＧ  Ａパートは、２０Ｍｈｚ単位で反復（ｄｕｐｌｉｃａｔｉｏｎ）して送信され、ＨＥ  ＳＩＧ−Ｂは８０Ｍｈｚ全帯域にわたって送信され得る。しかし、上述した伝送方法は一例であり、上述した実施例に限定されない。
【００５６】
図１０は、本発明に適用可能な多重ユーザ伝送の概念のうち、上りリンクの場合について説明するための図である。
【００５７】
上述したように、ＡＰは、媒体に接続できるＴＸＯＰを取得し、競合を経て媒体を占有して信号を送信することができる。このとき、図１０を参照すると、ＡＰステーションは、ＵＬ  ＭＵ伝送を行うためにトリガーフレーム（ｔｒｉｇｇｅｒ  ｆｒａｍｅ）を複数のステーションに送信することができる。このとき、一例として、トリガーフレームはＵＬ  ＭＵ割り当て情報としてリソース割り当て位置及びサイズ、ステーションのＩＤ、ＭＣＳ、ＭＵ  ｔｙｐｅ（＝ＭＩＭＯ、ＯＦＤＭＡ）などに関する情報を含むことができる。すなわち、上りリンクマルチユーザ（ＵＬ  ＭＵ）伝送は、マルチユーザとして複数のステーションがＡＰステーションに上りリンク伝送を行うことを意味することができる。このとき、ＡＰステーションはトリガーフレームを複数のステーションに送信し、複数のステーションが上りリンクデータ伝送を行えるようにすることができる。
【００５８】
複数のステーションは、トリガーフレームが示すフォーマットに基づいてＳＩＦＳ経過後にＡＰへデータを送信することができる。その後、ＡＰはＡＣＫ／ＮＡＣＫ情報をステーションに送信することができ、これによってＵＬ  ＭＵ伝送を行うことができる。
【００５９】
図１１は、本発明の一実施の形態によってステーションがグループＩＤベースＯＦＤＭＡ方式でフレームを送信する場合について説明するための図である。
【００６０】
図１１ではＳＴＡ１、２、３及び４にフレームを送信する状況を示しており、各ＳＴＡに対するフレーム割り当て／伝送情報はＨＥ−ＳＩＧ１／２で送信され得る。ＳＴＡ１、２、３、４が一つのグループ（Ｇｒｏｕｐ  ＩＤ  ＝１）に属していると仮定すれば、ＨＥ−ＳＩＧに含まれるＳＴＡ情報は、Ｇｒｏｕｐ  ＩＤ（＝１）、及びＳＴＡ１、２、３、４に対するリソース割り当て有無の情報（例えば、Ｎｓｔｓ（＞０、１〜８））を含むことができる。
【００６１】
図１１では５ＭＨｚ単位でグループＩＤによって示される複数のＳＴＡにリソースが割り当てられる例を示しているが、リソース割り当ての単位がこれに制限される必要はない。
【００６２】
上述した説明と関連して、以下では最小リソース単位大きさ（Ｕｎｉｔ  ｏｆ  ｍｉｎｉｍｕｍ  ｒｅｓｏｕｒｃｅ  ｇｒａｎｕｌａｒｉｔｙ）の例について説明する。
【００６３】
基本方向
（１）第１リソース単位  −  ＲＲＵ（ｒｅｇｕｌａｒ  ｒｅｓｏｕｒｃｅ  ｕｎｉｔ）又はＢＴＵ（Ｂａｓｉｃ  ｔｏｎｅ  ｕｎｉｔ）；以下ではＲＲＵ及びＢＴＵを混用し、これら両用語は同じ意味で使われる。）
上記第１リソース単位は、大きいサイズのリソース単位を表し、可能であれば、既存のＷｉ−Ｆｉに存在するＢＷのサイズを再利用することが有利である（例えば、２６トーン、５６トーン、１１４トーン、２４２トーンなど）。ＢＷによらずにサイズを固定してもよく、ＢＷによって増加させてもよい。
【００６４】
（２）第２リソース単位  −  ＩＲＵ（ｉｒｒｅｇｕｌａｒ  ｒｅｓｏｕｒｃｅ  ｕｎｉｔ）又はＳＴＵ（Ｓｍａｌｌ  ｔｏｎｅ  ｕｎｉｔ）；以下ではＩＲＵ及びＳＴＵを混用し、これら両用語は同じ意味で使われる。）
この第２リソース単位は、小さいリソース単位を表し、リソース単位割り当て時にＢＷの両端に干渉緩和のための左／右ガードトーン（ｌｅｆｔ／ｒｉｇｈｔ  ｇｕａｒｄ  ｔｏｎｅ）、及び中央のＤＣトーンを考慮して、当該トーンを除く残りの領域にＲＲＵとＩＲＵを割り当てる方法を定義する。可能であれば、ＢＷによらずに左／右ガードトーン、ＤＣトーンの数を維持させることが好ましい。（例えば、左／右ガードトーン＝６／５又は７／６トーン、ＤＣ＝５又は３トーンなど）
割り当てる方法、個数などは、リソース活用効率、ＢＷによるスケーラビリティ（ｓｃａｌａｂｉｌｉｔｙ）などを考慮して設定することができる。また、第２リソース単位はあらかじめ定義しておいてもよく、複数の方法のうち、シグナリング（例えば、ＳＩＧ）で知らせることも可能である。
【００６５】
（方式１  −  ＢＷ共通トーン単位（ＲＲＵ／ＢＴＵサイズ＝５６副搬送波））
この規定方式においてＲＲＵ／ＢＴＵのサイズは５６副搬送波トーンである。
【００６６】
図１２は、最小リソース割り当て単位が帯域幅によらずに規定される形態の一例を示す図である。
【００６７】
５６副搬送波の場合、既存のＷｉＦｉシステムで２０ＭＨｚの基本ＯＦＤＭヌメロロジー（ｎｕｍｅｒｏｌｏｇｙ）と同じであるため、従来のインタリーバなどを再利用できるという長所がある。このとき、ＩＲＵ／ＳＴＵのサイズは８副搬送波トーンである。すなわち、ＲＲＵ／ＢＴＵ＝５６、ＩＲＵ／ＳＴＵ＝８に設定されたと仮定する。しかし、ＩＲＵ／ＳＴＵの最小割り当て単位は２  ＩＲＵ／ＳＴＵ（すなわち、１６トーン）を仮定する。
【００６８】
次表１は、ＢＷ別ＲＵ及びＩＲＵ、ＤＣ、ＧＩの数値を表す。
【００６９】
【表１】
0006417031.tif 000002
【００７０】
上記の表１に示したように、残りのトーン（ｒｅｍａｉｎｉｎｇ  ｔｏｎｅ）、すなわち、ＤＣとＧＳの数がＢＷによらずに１６（ＩＲＵトーン数の２倍）の数に維持されることを提案する。
【００７１】
（ＲＵ，ＩＲＵ）＝（５６，９）
ＩＲＵが９副搬送波サイズとなる場合、各ＢＷ別ヌメロロジーは次表２のように構成され得る。１６０ＭＨｚ  ＢＷは８０ＭＨｚのものを２回反復して適用する。
【００７２】
【表２】
0006417031.tif 000003
【００７３】
上述した例の他にも、（ＲＵ，ＩＲＵ）の組み合わせは下記のように様々な形態も可能である。例えば、（ＲＵ，ＩＲＵ）＝（２６，８）、（ＲＵ，ＩＲＵ）＝（２６，６）、（ＲＵ，ＩＲＵ）＝（１１４，７）も可能である。
【００７４】
（方式２  −  ＲＲＵサイズをＢＷによって変更する方法）
（ＲＲＵ＝２０／４０／８０ＭＨｚに対して２６／５６／１１４、ＩＲＵ＝７）
この方式では、ＩＲＵをＢＷによらずに１４に固定する。仮に２個のパイロットが含まれるとすれば、１２個のデータトーンは様々なＭＣＳ符号化（ｄｅｃｏｄｉｎｇ）に有利である。特に、８０Ｈｚの場合、ＲＲＵ＋ＩＲＵ＝１１４＋１４＝１２８であって、２５６の約数であるため、システマティックデザイン（ｓｙｓｔｅｍａｔｉｃ  ｄｅｓｉｇｎ）に有利である。
【００７５】
次の各表は、各帯域幅に対して規定され得る数値を表す。具体的に、表３は８０ＭＨｚ、表４は４０ＭＨｚ、表５は２０ＭＨｚの場合を表す。
【００７６】
【表３】
0006417031.tif 000004
【００７７】
【表４】
0006417031.tif 000005
【００７８】
【表５】
0006417031.tif 000006
【００７９】
一方、以下では、上記の内容を考慮してリソース割り当て情報を効率的に構成する方法について説明する。
【００８０】
図１３は、本発明の一実施の形態によってリソース割り当て情報を構成する際、複数のＳＴＡに共通するリソース割り当て情報を構成する方法を説明するための図である。
【００８１】
具体的に、図１３は、Ｇｒｏｕｐ  ＩＤ  １に属したＳＴＡ１、２、４にＯＦＤＭＡリソースを割り当てる例である。ＳＴＡ１、２、４にのみリソースを割り当てるため、ＶＨＴを取り上げて説明すれば、ＳＴＡ１、２、４に対するＮｓｔｓ（Ｎｕｍｂｅｒ  ｏｆ  ｓｐａｃｅ−ｔｉｍｅ  ｓｔｒｅａｍｓ）は０より大きい値に設定され、ＳＴＡ３に対するＮｓｔｓは０に設定され得る。ただし、本発明の一実施の形態では、複数のＳＴＡに共通に適用されるリソース割り当てビットマップを用いてこのようなリソース構成情報を示すことを提案する。
【００８２】
リソース割り当てビットマップは、上記リソース割り当てビットマップにおける後続ビットが先行ビットと比較してトグリング（ｔｏｇｇｌｉｎｇ）されたか否かによって、上記全周波数帯域においてリソース割り当ての単位になるサブバンド構成を知らせることができる。具体的に、リソース割り当てビットマップにおいて第１後続ビットが第１先行ビットと比較してトグリングされていない場合、上記第１先行ビットに対応するサブバンド（例えば、ＳＢ１）と上記第１後続ビットに対応するサブバンド（例えば、ＳＢ２）は、同じＳＴＡに割り当てられるサブバンドであってもよい。逆に、リソース割り当てビットマップにおいて第２後続ビットが第２先行ビットと比較してトグリングされた場合、上記第２先行ビットに対応するサブバンド（例えば、ＳＢ２）と上記第２後続ビットに対応するサブバンド（例えば、ＳＢ３）は、互いに異なるＳＴＡに割り当てられるサブバンドであることを示すことができる。
【００８３】
図１３の例を挙げて説明すれば、リソース割り当てビットマップを“１００１”のように表すことができる。すなわち、一番目の１に比べて二番目の０はビットがトグリングされたため、互いに異なるＳＴＡに割り当てられるリソース単位であることを示すことができ、三番目の０は二番目のビット０に比べてトグリングされていないため、同じＳＴＡに割り当てられるサブバンドであることを示し、最後の１は先行する０と比べてトグリングされたため、異なるＳＴＡに割り当てるサブバンドであることを示すことができる。
【００８４】
一方、本発明の他の実施の形態では、ユーザビットマップ（ｕｓｅｒ  ｂｉｔｍａｐ）を用いてリソース割り当てを行うことができる。ユーザビットマップのサイズは、グループに属した最大ユーザの数によって決定され得る。上の例では、４名のユーザを支援するため、４ビットで構成され得る。上の例を挙げると、ユーザビットマップの値は、図１１で４名のＳＴＡのすべてにリソースを割り当てるため、１１１１に設定され、図１３ではＳＴＡ１、２、４にのみリソースを割り当てるため、１１０１に設定される。この場合、割り当てられたユーザ（ＳＴＡ）に対するＮｓｔｓ情報のみがＳＩＧに含まれるはずである。図１３の例では、ＳＴＡ１、２、４に対するＮｓｔｓ情報のみが含まれ得る。
【００８５】
どのＳＴＡがどのリソースを割り当てるかに関するリソース割り当て位置及び大きさ情報がＨＥ−ＳＩＧに含まれて送信され得る。
【００８６】
上述した内容のように、本発明の一実施の形態によるリソース割り当て情報は下記の例のような形式を有することができる。
【００８７】
【表６】
0006417031.tif 000007
【００８８】
上記の表から分かるように、Ｐｅｒ  Ｇｒｏｕｐ  Ｉｎｆｏｒｍａｔｉｏｎは、Ｎｕｍｂｅｒ  ｏｆ  ＧＩＤの値だけ反復して含まれ、Ｐｅｒ  ＳＴＡ  ｉｎｆｏｒｍａｔｉｏｎは、割り当てられるＳＴＡの数だけ反復して含まれ得る。Ｐｅｒ  Ｇｒｏｕｐ  ＩｎｆｏｒｍａｔｉｏｎにおいてＡｌｌｏｃａｔｉｏｎ  Ｂｉｔｍａｐは、上述したように、ｇｒｏｕｐ  ＩＤに基づいて、リソースを割り当てる場合、ＳＴＡには指定された順序（上の例では、ＳＴＡ１、２、３、４）でのみリソースが割り当てられる。これは、端末に適したリソースを割り当てることができない問題を招きうる。例えば、図１１及び図１３で、ＳＴＡ１は最初に割り当てられ、ＳＴＡ４は常に最後に割り当てられる。グループにおいて一つ以上のＳＴＡにリソースが割り当てられる場合に、ＳＴＡ４に最初からはリソースが割り当てられないという問題が発生する。
【００８９】
本発明の好ましい一実施の形態では、上述したような問題を解決するために、リソース割り当て情報が、リソースの割り当てられるグループにおけるＳＴＡの順序を指定するリソース割り当て順序情報をさらに含むことを提案する。リソース割り当て順序情報としては様々な形態が可能であり、以下では２つの具体的な形態を取り上げて説明する。
【００９０】
（実施例１  −  パーミュテーションインデックス利用方法）
ＡＰは、ＧＩＤに基づいてＯＦＤＭＡリソースを割り当てる際、パーミュテーションインデックスを含めて送信することができる。パーミュテーションインデックスに基づいてＧＩＤに属したＳＴＡのリソース割り当て順序が決定される。一つのＧＩＤ当たりに一つのパーミュテーションインデックスが用いられることが好ましい。パーミュテーションインデックスを構成する方法は下記のようにすることができる。
【００９１】
ＧＩＤに属し得る最大ＳＴＡの数をＮとする場合、パーミュテーションインデックスの総数は（Ｎ！）であり、ｉｎｄｅｘの大きさはｃｅｉｌｉｎｇ（ｌｏｇ２（Ｎ！））ビットと決定される。上の例ではＧＩＤに属し得る総ＳＴＡの数が４であるため、パーミュテーションインデックスの総数は２４個であり、サイズは５ビットである。Ｎ値をＧＩＤにおいて割り当てられたユーザ数に制限してもよい。
【００９２】
仮に、ＧＩＤにおいて２つのＳＴＡが割り当てられると、Ｎは２であり、インデックスのサイズは１ビットと決定される。
【００９３】
次表には、Ｎ＝４のとき、パーミュテーションインデックスを構成する例を示す。
【００９４】
【表７】
0006417031.tif 000008
【００９５】
このようなパーミュテーションインデックスをさらに含む場合、ＨＥ−ＳＩＧフィールドに含まれるリソース割り当て情報は次のような形式を有することができる。
【００９６】
【表８】
0006417031.tif 000009
【００９７】
図１４及び図１５は、本発明の一実施の形態によってパーミュテーションインデックスが用いられる場合のリソース割り当て方式を説明するための例である。
【００９８】
図１４に示すように、同じグループＩＤで示されるＳＴＡ１、２、３、４に対して、リソース割り当ての順序がＳＴＡ１、４、２、３のような場合、上記の表７のパーミュテーションインデックス５で示すことができる。
【００９９】
一方、上記の表８のようにリソース割り当て情報が構成される場合、ユーザビットマップから、各ＳＴＡは自身にリソースが割り当てられるか否かを確認することができ、図１４の場合、“１１１１”と示すことができる。ここで、ユーザビットマップの各ビットに対応するＳＴＡの順序は、ＳＴＡの元の順序であるＳＴＡ１、２、３、４であってもよく、上述したパーミュテーションインデックスによって規定された順序、すなわち、ＳＴＡ１、４、２、３であってもよい。
【０１００】
図１５の例では、グループＩＤによってＳＴＡ１、２、３、４が示され、パーミュテーションインデックスが８である場合に対応し得る。このとき、パーミュテーションインデックスによってＳＴＡの順序はＳＴＡ２、１、４、３のように決められるが、ユーザビットマップなどを用いて、ＳＴＡ１には割り当てられるリソースがないことを示すことができる。
【０１０１】
一方、本発明の一実施の形態では、リソースの割り当てられるＳＴＡに対してのみパーミュテーションインデックスを規定して運用してもよい。また、シグナリングオーバーヘッド（ｓｉｎｇｌｉｎｇ  ｏｖｅｒｈｅａｄ）を減少させるために、パーミュテーションインデックスによる組み合わせの数を次のように制限して利用してもよい。
【０１０２】
【表９】
0006417031.tif 000010
【０１０３】
この場合、パーミュテーションインデックスのサイズは４ビットになるはずである。パーミュテーションインデックスを構成する組み合わせを制限する方法は、Ｎ値が大きくなる時にインデックスのサイズを減らすために有用である。
【０１０４】
（実施例２  −  シフティングインデックス利用方法）
本発明の他の実施例として、リソース割り当て順序情報を、ＳＴＡの順序をシフトする程度を規定するシフティングインデックス（ｓｈｉｆｔｉｎｇ  ｉｎｄｅｘ）を用いて構成することができる。シフティングインデックスを活用するＨＥ−ＳＩＧ情報の例を次のように示すことができる。
【０１０５】
【表１０】
0006417031.tif 000011
【０１０６】
図１６及び図１７は、本発明の一実施の形態によってシフティングインデックスを活用する場合を説明するための図である。
【０１０７】
上記表１０のシフティングインデックスの定義に従う場合、シフティングインデックスのＢｉｔ０が１であり、Ｂｉｔ０Ｂｉｔ２が２を示すとき、リソース割り当ては図１６の例（ＳＴＡ１、２、３、４であり、全ての割り当てが５ＭＨｚずつ割り当てられる。）のようになり得る。この場合、右に２ずつＳＴＡの割り当て順序がシフトされたため、ＳＴＡ３、ＳＴＡ４、ＳＴＡ１、ＳＴＡ２の順に割り当てられる。
【０１０８】
一方、上記表１０の定義に従う場合、シフティングインデックスのＢｉｔ０が０であり、Ｂｉｔ０Ｂｉｔ２が１を示すとき、図１７の例（ＳＴＡ２、３、４であり、一番目と三番目の割り当ては５ＭＨｚ、二番目の割り当ては１０ＭＨｚずつ割り当てられる。）のようになり得る。左に１ずつＳＴＡの割り当て順序がシフトされたため、ＳＴＡ３、ＳＴＡ４、ＳＴＡ２の順に割り当てられる。
【０１０９】
上述したような実施の形態は、グループＩＤを用いたリソース割り当ての様々な例である。以下ではグループＩＤ自体を用いて追加情報を伝達する方式を説明する。すなわち、端末のグルーピングタイプによって異なるリソースを割り当てる方法を提案する。
【０１１０】
図１８乃至図２１は本発明の一実施の形態によって、グループＩＤによって様々な情報を示す方式を説明する図である。
【０１１１】
まず、図１８に示すように、ＯＦＤＭＡ又はＭＵ−ＭＩＭＯのタイプによって異なるようにグルーピングすることができる。すなわち、Ｇｒｏｕｐ  ＩＤの範囲（ｒａｎｇｅ）において、特定領域はＯＦＤＭＡ用に、特定領域はＭＵ−ＭＩＭＯ用に使用することができる。したがって、ＯＦＤＭＡとＭＵ−ＭＩＭＯの両方を支援する端末には、これら２つのグループに対するＧＩＤが割り当てられ得る。
【０１１２】
他の方法として、Ｇｒｏｕｐ  ＩＤのＬＳＢ（又はＭＳＢ）がタイプを示す。ＬＳＢ（又はＭＳＢ）が０に設定されると、ＭＵ−ＭＩＭＯ  ＧＩＤを示し、ＬＳＢ（又はＭＳＢ）が１に設定されると、ＯＦＤＭＡ用ＧＩＤを示す。
【０１１３】
更に他の方法として、図１９に示すように、Ｇｒｏｕｐ  ＩＤの範囲において、特定領域はＢＴＵ（Ｂａｓｉｃ  Ｔｏｎｅ  Ｕｎｉｔ）割り当てのために、特定領域はＳＴＵ（Ｓｍａｌｌ  Ｔｏｎｅ  Ｕｎｉｔ）割り当てのために割り当てることができる。Ｇｒｏｕｐ  ＩＤの範囲において、特定領域はＯＦＤＭＡ用に、特定領域はＭＵ−ＭＩＭＯ用に使用することができる。これと違い、Ｇｒｏｕｐ  ＩＤのＬＳＢ（又はＭＳＢ）がタイプを示すことができる。この場合、ＬＳＢが０に設定されると、ＢＴＵ  ＧＩＤを示し、ＬＳＢが１に設定されると、ＳＴＵ  ＧＩＤを示す。
【０１１４】
Ｇｒｏｕｐ  ＩＤ領域は、図２０に示すように、ＯＦＤＭＡ、ＭＵ−ＭＩＭＯ、ＢＴＵ、ＳＴＵの４つの領域に分けることができる。または、図２１に示すように、それらを混合して使用することもできる。
【０１１５】
図２２は、本発明の一実施例に係るＡＰ装置（又は、基地局装置）及びステーション装置（又は、端末装置）の例示的な構成を示すブロック図である。
【０１１６】
ＡＰ１００は、プロセッサ１１０、メモリ１２０、送受信器１３０を含むことができる。ステーション１５０は、プロセッサ１６０、メモリ１７０、送受信器１８０を含むことができる。
【０１１７】
送受信器１３０，１８０は無線信号を送信／受信することができ、例えば、ＩＥＥＥ  ８０２システムに基づく物理層を具現することができる。プロセッサ１１０，１６０は送受信器１３０，１８０に接続し、ＩＥＥＥ  ８０２システムに基づく物理層及び／又はＭＡＣ層を具現することができる。プロセッサ１１０，１６０は前述した本発明の様々な実施例の１つ又は２つ以上の組み合わせによる動作を行うように構成することができる。また、前述した本発明の様々な実施例に係るＡＰ及びステーションの動作を具現するモジュールをメモリ１２０，１７０に格納し、プロセッサ１１０，１６０によって実行することができる。メモリ１２０，１７０はプロセッサ１１０，１６０の内部に含まれてもよく、プロセッサ１１０，１６０の外部に設けられて、プロセッサ１１０，１６０に公知の手段によって接続してもよい。
【０１１８】
前述したＡＰ装置１００及びステーション装置１５０に関する説明は、他の無線通信システム（例えば、ＬＴＥ／ＬＴＥ−Ａシステム）における基地局装置及び端末装置にもそれぞれ適用することができる。
【０１１９】
このようなＡＰ及びステーション装置の具体的な構成は、前述した本発明の様々な実施例で説明した事項が独立して適用されたり、又は２つ以上の実施例が同時に適用されるように具現することができ、重複する内容は明確性のために説明を省略する。
【０１２０】
図２３には、本発明の一実施例に係るＡＰ装置又はステーション装置のプロセッサの例示的な構造を示す。
【０１２１】
ＡＰ又はステーションのプロセッサは、複数の階層（ｌａｙｅｒ）構造を有することができ、図２３は、それら階層の中でも特にＤＬＬ（Ｄａｔａ  Ｌｉｎｋ  Ｌａｙｅｒ）上のＭＡＣサブ階層（ｓｕｂｌａｙｅｒ）３８１０及び物理層３８２０を集中的に示す。図２３に示すように、ＰＨＹ３８２０は、ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）個体３８２１、及びＰＭＤ（Ｐｈｙｓｉｃａｌ  Ｍｅｄｉｕｍ  Ｄｅｐｅｎｄｅｎｔ）個体３８２２を含むことができる。ＭＡＣサブレイヤ３８１０及びＰＨＹ３８２０はいずれも、概念的にＭＬＭＥ（ＭＡＣ  ｓｕｂｌａｙｅｒ  Ｍａｎａｇｅｍｅｎｔ  Ｅｎｔｉｔｙ）３８１１と呼ばれる管理個体をそれぞれ含む。このような個体３８１１，３８２１は、階層管理機能が作動する階層管理サービスインターフェースを提供する。
【０１２２】
正確なＭＡＣ動作を提供するために、ＳＭＥ（Ｓｔａｔｉｏｎ  Ｍａｎａｇｅｍｅｎｔ  Ｅｎｔｉｔｙ）３８３０がそれぞれのステーション内に存在する。ＳＭＥ３８３０は、別途の管理プレーン内に存在したり又は別個として離れている（ｏｆｆ  ｔｏ  ｔｈｅ  ｓｉｄｅ）かのように見え得る、階層独立的な個体である。ＳＭＥ３８３０の正確な機能を本文書では具体的に説明しないが、一般的に、このような個体３８３０は、様々な階層管理個体（ＬＭＥ）から階層−従属的な状態を収集し、階層−特定パラメータの値を類似に設定するなどの機能を担当するもののように見えることができる。ＳＭＥ３８３０は通常、一般システム管理個体を代表して（ｏｎ  ｂｅｈａｌｆ  ｏｆ）このような機能を実行し、標準管理プロトコルを具現することができる。
【０１２３】
図２３に示す個体は様々な方式で相互作用する。図２３では、ＧＥＴ／ＳＥＴプリミティブ（ｐｒｉｍｉｔｉｖｅ）を交換するいくつかの例示を示す。ＸＸ−ＧＥＴ．ｒｅｑｕｅｓｔプリミティブは、与えられたＭＩＢ  ａｔｔｒｉｂｕｔｅ（管理情報ベースの属性情報）の値を要求するために用いられる。ＸＸ−ＧＥＴ．ｃｏｎｆｉｒｍプリミティブは、Ｓｔａｔｕｓが”成功”である場合には適切なＭＩＢ属性情報値をリターンし、そうでない場合にはＳｔａｔｕｓフィールドでエラー指示をリターンするために用いられる。ＸＸ−ＳＥＴ．ｒｅｑｕｅｓｔプリミティブは、指示されたＭＩＢ属性が与えられた値に設定されるように要求するために用いられる。上記ＭＩＢ属性が特定動作を意味する場合、これは当該動作が行われることを要求するものである。そして、ＸＸ−ＳＥＴ．ｃｏｎｆｉｒｍプリミティブは、ｓｔａｔｕｓが”成功”である場合に指示されたＭＩＢ属性が、要求された値に設定されたことを確認させ、そうでないと、ｓｔａｔｕｓフィールドにエラー条件をリターンするために用いられる。ＭＩＢ属性が特定動作を意味する場合、これは、当該動作が行われたことを確認させる。
【０１２４】
図２３に示すように、ＭＬＭＥ３８１１及びＳＭＥ３８３０は、様々なＭＬＭＥ＿ＧＥＴ／ＳＥＴプリミティブをＭＬＭＥ＿ＳＡＰ３８５０を介して交換することができる。また、様々なＰＬＣＭ＿ＧＥＴ／ＳＥＴプリミティブを、ＰＬＭＥ＿ＳＡＰ３８６０を介してＰＬＭＥ３８２１とＳＭＥ３８３０との間で交換することができ、ＭＬＭＥ−ＰＬＭＥ＿ＳＡＰ３８７０を介してＭＬＭＥ３８１１とＰＬＭＥ３８７０との間で交換することができる。
【０１２５】
上述した本発明の実施例を様々な手段によって具現することができる。例えば、本発明の実施例をハードウェア、ファームウェア（ｆｉｒｍｗａｒｅ）、ソフトウェア又はそれらの結合などによって具現することができる。
【０１２６】
ハードウェアによる具現の場合、本発明の実施例に係る方法は、１つ又はそれ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）、プロセッサ、コントローラ、マイクロコントローラ、マイクロプロセッサなどによって具現することができる。
【０１２７】
ファームウェア又はソフトウェアによる具現の場合、本発明の実施例に係る方法を、以上で説明された機能又は動作を実行するモジュール、手順又は関数などの形態として具現することができる。ソフトウェアコードをメモリユニットに格納し、プロセッサによって駆動することができる。メモリユニットはプロセッサ内部又は外部に設けられ、既に公知である様々な手段によってプロセッサとデータを交換することができる。
【０１２８】
以上開示した本発明の好ましい実施の形態に関する詳細な説明は、当業者が本発明を具現して実施できるように提供された。上記では本発明の好ましい実施の形態を参照して説明したが、当該技術分野における熟練した当業者にとっては、添付の特許請求の範囲に記載された本発明の思想及び領域から逸脱しない範囲内で本発明を様々に修正及び変更可能であることは明らかである。したがって、本発明は、ここに開示した実施の形態に限定させようとするものではなく、ここに開示した原理及び新規な特徴と一致する最も広い範囲を与えようするものである。また、以上では本明細書の好ましい実施例について図示及び説明したが、本明細書は、上述した特定の実施例に限定されず、特許請求の範囲で請求する本明細書の要旨から逸脱することがなく、当該発明の属する技術の分野における通常の知識を有する者によって様々な変形実施が可能であることは勿論であり、このような変形実施は、本明細書の技術的思想又は展望から独立したものとして理解されてはならない。
【０１２９】
そして、当該明細書では物の発明も方法の発明も説明しており、必要によって両発明の説明を補充的に適用することもできる。
【産業上の利用可能性】
【０１３０】
以上、本発明をＩＥＥＥ  ８０２．１１ベース無線ＬＡＮシステムに適用されるとして説明したが、これに限定される必要はない。本発明は様々な無線システムに同一の方式で適用されてもよい。
【図１】
0006417031.tif 000012
【図２】
0006417031.tif 000013
【図３】
0006417031.tif 000014
【図４】
0006417031.tif 000015
【図５】
0006417031.tif 000016
【図６】
0006417031.tif 000017
【図７】
0006417031.tif 000018
【図８】
0006417031.tif 000019
【図９】
0006417031.tif 000020
【図１０】
0006417031.tif 000021
【図１１】
0006417031.tif 000022
【図１２】
0006417031.tif 000023
【図１３】
0006417031.tif 000024
【図１４】
0006417031.tif 000025
【図１５】
0006417031.tif 000026
【図１６】
0006417031.tif 000027
【図１７】
0006417031.tif 000028
【図１８】
0006417031.tif 000029
【図１９】
0006417031.tif 000030
【図２０】
0006417031.tif 000031
【図２１】
0006417031.tif 000032
【図２２】
0006417031.tif 000033
【図２３】
0006417031.tif 000034